(57)【特許請求の範囲】
【請求項１】
仕切板によって仕切られた複数の部屋を有する断熱箱体において、
前記仕切板の扉側端部に仕切壁と上下の板によって開口部を形成し、
該開口部の前面に、後端部側に複数の脚状端辺を有して放熱パイプが密接した意匠板を装着し、
前記脚状端辺で構成された第１の空隙部と上下仕切板で構成された第２の空隙部のうち、少なくとも第２の空隙部に硬質の断熱材を充填して成ることを特徴とする断熱箱体。
【請求項２】
前記放熱パイプを、前記意匠板の前面部、または前記前面部と脚状端辺とに密接したことを特徴とする請求項１記載の断熱箱体。
【発明の詳細な説明】
【０００１】
【発明の属する技術分野】
本発明は、複数の室を有する冷蔵庫などの断熱箱体の仕切部の構造に係り、より詳しくは、扉が当接する意匠板を加熱して結露を防止する仕切板を備えた断熱箱体に関するものである。
【０００２】
【従来の技術】
複数の室を有する冷蔵庫などの断熱箱体は、内部に断熱材を備えた樹脂成形品である仕切板を設け、各室間を食品などの貯蔵内容によって温度や湿度などの環境が異なる室に仕切って区画している。この仕切板を設置することによって断熱箱体を強化し、特に箱体本体の開口部側にある意匠板は、意匠面とこの意匠面に対して直角に折り曲げた端辺を備えてコ字状の断面を形成し、その端辺を仕切板の外殻表面層の下に配置して隠蔽するように固定することによって、断熱箱体の強度を向上させている。
【０００３】
また、意匠板は、扉に設けたパッキンと箱体本体とが密閉状態で保持されるために、意匠板がパッキンの内部に備えたマグネットが吸着する磁性体であることが必要であり、併せて、断熱箱体の強度向上に対する影響が大きいことから、意匠板には低価格で高強度の塗装鋼板が用いられている。
【０００４】
しかしながら、意匠板は室外に露出する部分を有しているので、熱伝導性に優れる鋼板からなり、仕切板の外殻表面近くに配置した意匠板の端辺には、室外の高温域から室内の低温域に向かって熱流が生じる。これによって、断熱箱体の断熱性能が低下するとともに、意匠板自身の温度が外気（断熱箱体の設置雰囲気）の露点以下に低下して、結露を生じる。
【０００５】
このような問題に対して、例えば、特開平４ー１０３９８４号公報において開示された図７に示す従来技術のように、断熱層３０を備えた仕切板３１の前面部に設けた空隙内に冷凍サイクルの放熱パイプ３２を配設し、この放熱パイプ３２を蓄熱層３３を介して柔軟な断熱材３４で意匠板３５に押圧して、この熱により意匠板３５の温度を露点以上に上昇させて結露を防止している。
しかしながら、意匠板３５は、室内の仕切板３６の表面近くに端辺３５ａを配設しているので、意匠板３５の温度が上昇して結露が防止される反面、この端辺３５ａを伝わって室内に侵入する熱流量が増加し、断熱箱体の断熱性能が低下することになる。
【０００６】
このため、実開昭５７ー５８８９５号公報および実開昭５７ー７９３８３号公報に開示された従来技術は、意匠板の室内にある端辺を低熱伝導性の低い、例えば樹脂成型品で構成することによって、室内外に伝わる熱流量を低減したものである。また、実開昭５７ー１７７０８７号公報に開示された従来技術では、意匠板の構造全体を樹脂成型品で構成し、さらに、箱体本体と扉の密閉性を確保するために樹脂成型品上に着磁テープを設け、この磁気テープと扉のパッキンに備えたマグネットとを密着させている。
【０００７】
【発明が解決しようとする課題】
上記のように構成した仕切板を有する断熱箱体によれば、意匠板の端辺が別物品で構成されているので変形を来しやすく、箱体強度を低下させる。しかも、意匠板は、板金の折り曲げ加工と端辺の樹脂の射出成形など、複数の成型方法を用いて煩雑に行われるうえ、それらを合体させるための組立を必要とするなどで、加工が煩雑である。
【０００８】
しかも、意匠板の加熱には冷凍サイクルの放熱パイプを用いているので、加熱に要する熱量は変わることがない一方で、意匠板の折り曲げ部などに断熱構造を施して室内に侵入する熱流量を抑制しているので、意匠板の温度が必要以上に上昇する。このため、意匠板表面からの伝熱による端辺の温度上昇を来すことになり、この部分から室内に向かう熱量が増加して、断熱箱体としての断熱性が低減する。
【０００９】
本発明は上記のような課題を解決するためになされたもので、単一の部品で構成され、加工が容易で、室内に侵入する熱を充分に遮断して加熱することができる強固な仕切板を備えた断熱箱体を得ることを目的とする。
【００１０】
【課題を解決するための手段】
本発明にかかる断熱箱体は、仕切板によって仕切られた複数の部屋を有する断熱箱体において、仕切板の扉側端部に仕切壁と上下の板によって開口部を形成し、開口部の前面に、後端部側に複数の脚状端辺を有して放熱パイプが密接した意匠板を装着し、脚状端辺で構成された第１の空隙部と上下仕切板で構成された第２の空隙部のうち、少なくとも第２の空隙部に硬質の断熱材を充填して成るものである。
【００１１】
また、放熱パイプを、意匠板の前面部、または前面部と脚状端辺とに密接した。
【００１２】
【発明の実施の形態】
実施の形態１
図１は本発明の実施の形態１の斜視図であり、図２は図１のａ部の縦断面図、図３は図１の説明図、図４、図５は実施の形態１の作用説明図である。図において、１は断熱箱体である冷蔵庫の箱体本体を上下に区画する仕切板、２，３は仕切板１の上部および下部に設けられ前面を開口した冷凍室及び冷蔵室で、各室の開口部にはそれぞれ図４に示すようにヒンジ４によって取付けた冷凍扉５及び冷蔵扉６が開閉自在に取付けられ、各扉５，６にはマグネットを内装したパッキンが設けられ、仕切板１の前面に密着するようにしてある。
【００１３】
仕切板１は、上板８と下板９を備えた樹脂成型品の外殻７によって構成され、仕切板１の前端部近傍には上板８と下板９の間に立設した仕切壁１０が設けられ、仕切壁１０の奥には断熱材１１を充填した空間部が形成されており、仕切壁１０の扉側には前面を開口した空隙部１２が形成されている。１３は仕切板１の上板８と下板９の先端部に設けた段部であり、仕切板１の内壁方向に向かって段差が形成されている。１４は仕切壁１０の空隙部１２側の上下近傍に突設した係止部で、開口部側に向けて突出している。
【００１４】
１５は空隙部１２の幅方向に沿って空隙部１２に蓋をするようにして取付けた意匠板で、平面状の板の上下を１８０度折り曲げた後、さらにその折曲げ面の一部を折曲げ部に対して十分な距離を隔てた位置（仕切板１の係止部１４に対応する位置）でさらに内側に９０度折り曲げたもので、前面部１５ａと、前面部１５ａの上下に位置した二重面からなる鍔状に張り出した張出端部１５ｂと、前面部１５ａに対して直交する一対の脚状端辺１５ｃとによって断面ほぼコ字状に構成され、張出端部１５ｂの折曲げ部は固定部１５ｄを形成する。
【００１５】
そして、この意匠板１５は、固定部１５ｄを仕切板１の段部１３に当接させると共に、脚状端辺１５ｃの端部を仕切板１の係止部１４に当接させて、前面部１５ａを空隙部１２の開口部を覆うようにして配設し、意匠板１５の幅方向の両端部を冷蔵庫にネジ１６で固定することによって、仕切板１の前面に強固に取付けられる。こうして、空隙部１２は、仕切板１の仕切壁１０と意匠板１５の前面部１５ａと脚状端辺１５ｃとによって囲まれる第１の空隙部１７と、仕切板１の仕切壁１０と上下板８，９と意匠板１５の脚状端辺１５ｃとによって囲まれる第２に空隙部１８に区画される。
【００１６】
１９は第１の空隙部１７の幅方向に配設した冷凍サイクルの一部を構成する放熱パイプで、意匠板１５の前面部１５ａの内壁に接して配設され、低温状態の各室２，３に向けて意匠板１５から流出していく熱量を補って、外気の露点以下になるのを防止する。なお、放熱パイプ１９は、長さを短縮した放熱パイプであり、図３に示すように、従来の放熱パイプ３２よりもその長さを短くし、例えば、意匠板１５の表面温度が室温近傍になるような長さに短縮して構成してある。この放熱パイプ１９によって、放熱量を抑制させ、意匠板１５に当接する上下の扉５，６のパッキンや仕切板１の外殻７の表面を通じて各室２，３内に侵入する熱量を抑制している。
【００１７】
２０は第１の間隙部１７内に充填した柔軟な断熱材で、放熱パイプ１９を意匠板１５の前面部１５ａ方向に押圧している。
２１は第２の間隙部１８内に充填した硬質の断熱材で、充分な剛性を有する硬質発泡ウレタン、発泡セラミックスなどによって形成され、断熱箱体の変形に伴う仕切板１と意匠板１５の変形を抑制するようにしてある。
【００１８】
上記のように構成した実施の形態１の作用を説明する。まず、放熱パイプ１９によって生じる熱移動について述べると、意匠板１５の前面部１５ａは放熱パイプ１９に接触しているので、伝熱効率が向上し、放熱パイプ１９からの熱によって意匠板１５の温度は露点以上に上昇し、結露を防止する。
この際、意匠板１５を折り返して形成した脚状端辺１５ｃは仕切板１の外殻７の上板８及び下板９に対して充分な距離を設けて配設してあるので、意匠板１５の温度上昇に伴って熱流の一部が仕切板１の外殻７の部分を透過して冷凍室２や冷蔵室３内に侵入することはない。しかも、第２の空隙部１８に充填した硬質の断熱材２１によって、第２の空隙部１８内に対流による熱伝達が発生せず、第２の間隙部１８を貫通する熱流量は低減する。
【００１９】
こうして、第２の空隙部１８によって、意匠板１５の脚状端辺１５ｃと仕切板１の上下の板８，９との間が断熱され、冷凍室２および冷蔵室３に移動する熱流量が減少する。従来の放熱パイプ３２によれば、減少した熱流量に相当した分だけ意匠板１５の温度を上昇させるが、実施の形態１では長さを短くした放熱パイプ１９を用いているので、放熱量が抑制され、意匠板１５に当接する各扉５，６のパッキンや仕切板１の外殻７の表面を通じて室内に侵入する熱量が抑制されて、意匠板１５の表面温度は従来と同等の露点付近となる。
【００２０】
次に、仕切板１の変形について述べると、図４に示すように、上下の扉５，６を支持するために取り付けたヒンジ４などにかかる負荷によって、冷蔵庫が矢印の方向、すなわち手前側と反ヒンジ側のモーメントを受けてねじれて破線で示すように変形するので、仕切板１には曲げの変形を来す挙動が生まれる。従って、本来は図２に示すように、第１、第２の空隙部１７，１８は、仕切板１の上下の板８，９と意匠板１５の脚状端辺１５ｃとが平行の位置関係を持つ間隙を有しているが、図５に示すように、ずれの変形を生じようとする方向に力が働くことになる。
しかしながら、第２の空隙部１８内には硬質の断熱材２１が充填されているので、変形時に意匠板１５の脚状端辺１５ｃと仕切板１の上下の板８，９で形成される第２の空隙部１８が圧縮されるのを、硬質の断熱材２１が受け止めて変形を阻止している。
【００２１】
実施の形態１によれば、意匠板１５の温度は露点以上に上昇され、結露が防止できる。また、意匠板１５の温度上昇に伴う熱流の一部が仕切板１の外殻７の部分を透過して冷凍室２や冷蔵室３内に侵入することはない。さらに、第２の間隙部１８を貫通する熱流量が一層低減する。また、長さを短縮した放熱パイプ１９を用いたので、放熱量が抑制され、意匠板１５の表面温度を従来と同等の露点付近とすることができ、これによって、意匠板１５に当接する上下の扉５，６のパッキンや仕切板１の外殻７の表面を通じて各室２，３に侵入する熱量を抑制することができる。さらに、仕切板１に曲げの変形を来す挙動が生まれても、硬質の断熱材２１がその変形を阻止して冷蔵庫の強度が向上する。
【００２２】
実施の形態２
図６は本発明の実施の形態２の縦断面図である。実施の形態１では、仕切板１の上板８と下板９の端部に段部１３を設け、仕切壁１０の空隙部１２側に係止部１４を設けたが、実施の形態２ではこれらの段部１３と係止部１４を設けることなく、意匠板１５を仕切板１に取付けたものである。すなわち、意匠板１５の張出端部１５ｂの固定部１５ｄを仕切板１の上下の板８，９の先端部の内壁側にそのまま当接するとともに、脚状端辺１５ｃの端部を仕切壁１０の面にそのまま当接させたものである。
【００２３】
また、実施の形態１では、放熱パイプ１９は意匠板１５の前面部１５ａのみに接して配設したが、実施の形態２では意匠板１の前面部１５ａのみならず脚状端辺１５ｃにも沿わせて接触させたもので、放熱パイプ１９は仕切板１内に設けた柔軟な断熱材２０に押圧されて意匠板１５の前面部１５ａと脚状端辺１５ｃに密着する。
その他の構成、作用は、実施の形態１で示した場合と同様なので、説明を省略する。
【００２４】
実施の形態２によれば、放熱パイプ１９と意匠板１５との接触部分を多くしたので、放熱パイプ１９から意匠板１５に至る伝熱効率が向上する。このため、実施の形態１の図３に示した場合と同様に放熱パイプ１９を短くしても、意匠板１５の表面は露点以上を確保することができる。
【００２５】
【発明の効果】
以上の説明から明らかなように、本発明は、仕切板によって仕切られた複数の部屋を有する断熱箱体であって、仕切板の扉側端部に仕切壁と上下の板によって開口部を形成し、開口部の前面に、後端部側に複数の脚状端辺を有して放熱パイプが密接した意匠板を装着し、脚状端辺で構成された第１の空隙部と上下仕切板で構成された第２の空隙部のうち、少なくとも第２の空隙部に硬質の断熱材を充填して構成したので、意匠板に結露が発生するのを防止する熱が仕切板の外殻を通じて室内に流入するのを抑制でき、断熱箱体の断熱性能を向上させることができる。
また、空隙部を構成する第１の空隙部と第２の空隙部のうち、少なくとも第２の空隙部に硬質の断熱材を充填したので、仕切板を通じて室内に侵入する熱をより一層遮断できるとともに、断熱箱体の変形を抑制することができる。
【００２７】
また、放熱パイプを、意匠板の前面部、または前面部と脚状端辺とに密接したので、放熱パイプからの熱伝達を円滑にして、効率よく意匠板の温度を上昇させることができる。
【図面の簡単な説明】
【図１】  本発明の実施の形態１の斜視図である。
【図２】  図１のａ部の縦断面図である。
【図３】  図１の説明図である。
【図４】  実施の形態１の作用説明図である。
【図５】  実施の形態１の他の作用説明図である。
【図６】  本発明の実施の形態２の要部の縦断面図である。
【図７】  従来の断熱箱体の一例を示す縦断面図である。
【符号の説明】
１  仕切板、２  冷凍室、３  冷蔵室、５  冷凍扉、６  冷蔵扉、７  外殻、８  上板、９  下板、１０  仕切壁、１２  空隙部、１５  意匠板、１５ａ  前面部、１５ｂ  張出端部、１５ｃ  脚状端辺、１７  第１の空隙部、１８  第２の空隙部、１９  放熱パイプ、２０  柔軟な断熱材、２１  硬質の断熱材。
【図１】
0003945553.tif 000002
【図２】
0003945553.tif 000003
【図３】
0003945553.tif 000004
【図４】
0003945553.tif 000005
【図５】
0003945553.tif 000006
【図６】
0003945553.tif 000007
【図７】
0003945553.tif 000008